【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
リッチコミュニケーションスイート(RCS)プロトコルを実施するように構成されるユーザ機器(UE)を運用する方法であって、
第1のターゲットUEに、(i)前記第1のターゲットUEに関するRCS能力情報と、(ii)1組の1つまたは複数の他のUEに関するRCS能力情報とを提供するように要求するRCS能力要求メッセージを構成するステップと、
前記構成されたRCS能力要求メッセージを前記第1のターゲットUEに送信するステップと、
前記送信に応答して、(i)前記第1のターゲットUEに関する前記RCS能力情報と、(ii)前記1組の1つまたは複数の他のUEからの少なくとも1つのUEに関するRCS能力情報とを指示するRCS能力応答メッセージを受信するステップと
を含む、方法。
【請求項２】
前記第1のターゲットUEおよび前記1組の1つまたは複数の他のUEから前記RCS能力情報を入手することに決めるステップと、
前記第1のターゲットUEおよび前記1組の1つまたは複数の他のUEがそれぞれのRCS能力情報を要求するために問い合わせられることになる順序を決定するステップとをさらに含み、
前記送信するステップは、前記決定された順序において行われ、
前記決定された順序は、前記第1のターゲットUEおよび/または前記1組の1つまたは複数の他のUEの優先順位に基づく、
請求項1に記載の方法。
【請求項３】
第2のターゲットUEが、前記決定された順序に関して、前記第1のターゲットUEより早く、
前記構成するステップ、前記送信するステップおよび前記受信するステップの前に、
前記第2のターゲットUEに、(i)前記第2のターゲットUEに関するRCS能力情報と、(ii)前記第2のターゲットUEおよび/または前記1組の1つまたは複数の他のUEからの1つまたは複数の他のUEに関するRCS能力情報を提供するように要求する所与のRCS能力要求メッセージを構成するステップと、
前記構成された所与のRCS能力要求メッセージを前記第2のターゲットUEに送信するステップと、
前記所与の構成されたRCS能力要求メッセージの前記送信に応答して、(i)前記第2のターゲットUEに関する前記RCS能力情報と、(ii)前記第2のターゲットUEおよび/または前記1つまたは複数の他のUEからの少なくとも1つの所与のUEに関する前記RCS能力情報とを指示する所与のRCS能力応答メッセージを受信するステップとを含む、請求項2に記載の方法。
【請求項４】
第2のターゲットUEが、前記決定された順序に関して、前記第1のターゲットUEより遅く、
前記構成するステップ、前記送信するステップおよび前記受信するステップの後に、
前記第2のターゲットUEに、(i)前記第2のターゲットUEに関するRCS能力情報と、(ii)前記第2のターゲットUEおよび/または前記1組の1つまたは複数の他のUEからの1つまたは複数の他のUEに関するRCS能力情報を提供するように要求する所与のRCS能力要求メッセージを構成するステップと、
前記構成された所与のRCS能力要求メッセージを前記第2のターゲットUEに送信するステップと、
前記所与の構成されたRCS能力要求メッセージの前記送信に応答して、(i)前記第2のターゲットUEに関する前記RCS能力情報と、(ii)前記第2のターゲットUEおよび/または前記1つまたは複数の他のUEからの少なくとも1つの所与のUEに関する前記RCS能力情報とを指示する所与のRCS能力応答メッセージを受信するステップとを含む、請求項2に記載の方法。
【請求項５】
所与のUEに関する第1のRCS能力情報が、前記第1のターゲットUEから受信され、
前記所与のUEに関する第2のRCS能力情報が、前記第2のターゲットUEから受信され、
情報が最新であることに基づいて、前記第1のRCS能力情報および第2のRCS能力情報のうちの1つを選択するステップと、
前記選択されたRCS能力情報を前記UEにおいて保持するステップとをさらに含む、
請求項4に記載の方法。
【請求項６】
前記受信されたRCS能力応答メッセージに基づいて、前記決定された順序において前記第1のターゲットUEより遅い1つまたは複数のUEに関する許容できるRCS能力情報が得られたと判断するステップと、
前記1つまたは複数のUEへの1つまたは複数のRCS能力要求メッセージの送信が、前記1つまたは複数のUEに関する前記許容できるRCS能力情報が得られたという判断に基づいて回避されるように、前記決定された順序において前記1つまたは複数のUEをスキップするステップとをさらに含み、
前記決定された順序において各UEに関する許容できるRCS能力情報が得られたと判断され、
前記スキップするステップは、前記決定された順序において各UEに関する許容できるRCS能力情報が得られたという判断に応答して、前記決定された順序において残りの各UEをスキップする、請求項2に記載の方法。
【請求項７】
前記構成されたRCS能力要求メッセージは、前記UEに関するRCS能力情報を指示し、
前記UEは、前記送信の前に、前記1組の1つまたは複数の他のUEからの1つまたは複数のさらなるUEに関するあるバージョンのRCS能力情報を知っており、
前記構成されたRCS能力要求メッセージはさらに、前記1つまたは複数のさらなるUEに関する前記バージョンのRCS能力情報を指示する、
請求項1に記載の方法。
【請求項８】
リッチコミュニケーションスイート(RCS)プロトコルを実施するように構成されるユーザ機器(UE)を運用する方法であって、
要求側UE から、(i)前記UEに関するRCS能力情報と、(ii)1組の1つまたは複数の他のUEに関するRCS能力情報とを要求するように構成されるRCS能力情報メッセージを受信するステップ と、
前記UEが前記1組の1つまたは複数の他のUEからの少なくとも1つのUEに関するRCS能力情報にアクセスできると判断するステップと、
(i)前記UEに関する前記RCS能力情報と、(ii)前記1組の1つまたは複数の他のUEからの前記少なくとも1つのUEに関する前記RCS能力情報とを指示するRCS能力応答メッセージを構成するステップと、
前記構成されたRCS能力応答メッセージを前記要求側UEに送信するステップと
を含む、方法。
【請求項９】
前記RCS能力要求メッセージは、セッション開始プロトコル(SIP)OPTIONSメッセージに対応し、
前記構成されたRCS能力要求メッセージは、前記SIP OPTIONSメッセージ内の前記1組の1つまたは複数の他のUEを識別することによって、前記UEに、前記1組の1つまたは複数の他のUEに関するRCS能力情報を前記要求側UEに提供するように要求する、
請求項1または8に記載の方法。
【請求項１０】
前記1組の1つまたは複数の他のUE内の1つまたは複数のUEは、電話番号全体、電話番号のハッシュ、統一リソース識別子(URI)全体、および/またはURIのハッシュによって識別され、
前記1組の1つまたは複数の他のUEは、前記SIP OPTIONSメッセージの専有フィールド、またはSIP OPTIONS BLOBフィールド内で識別される、
請求項3または9に記載の方法。
【請求項１１】
前記構成されたRCS能力要求メッセージは、前記要求側UEに関するRCS能力情報を指示し、
前記構成されたRCS能力要求メッセージはさらに、前記要求側UE以外の1つまたは複数のさらなるUEに関するRCS能力情報を指示する、
請求項1または8に記載の方法。
【請求項１２】
前記判断するステップは、前記UEが、前記1組の1つまたは複数の他のUEからの所与のUEに関するRCS能力情報にアクセスできると判断し、
前記UEが、前記所与のUEに関する前記RCS能力情報に関して前記要求側UEに通知する許可を有するか否かを評価するステップをさらに含み、
前記評価が、前記UEが前記所与のUEに関する前記RCS能力情報に関して前記要求側UEに通知する許可を有することを指示するとき、
前記構成するステップは、前記評価に基づいて、前記RCS能力応答メッセージ内に前記所与のUEに関する前記RCS能力情報を含み、
前記評価が、前記UEが前記所与のUEに関する前記RCS能力情報に関して前記要求側UEに通知する許可を有しないことを指示するとき、
前記構成するステップは、前記評価に基づいて、前記RCS能力応答メッセージから前記所与のUEのための前記RCS能力情報を省く、
請求項8に記載の方法。
【請求項１３】
リッチコミュニケーションスイート(RCS)プロトコルを実施するように構成されるユーザ機器(UE)であって、
第1のターゲットUEに、(i)前記第1のターゲットUEに関するRCS能力情報と、(ii)1組の1つまたは複数の他のUEに関するRCS能力情報とを提供するように要求するRCS能力要求メッセージを構成するための手段と、
前記構成されたRCS能力要求メッセージを前記第1のターゲットUEに送信するための手段と、
前記送信に応答して、(i)前記第1のターゲットUEに関する前記RCS能力情報と、(ii)前記1組の1つまたは複数の他のUEからの少なくとも1つのUEに関するRCS能力情報とを指示するRCS能力応答メッセージを受信するための手段と、
を含む、ユーザ機器(UE)。
【請求項１４】
リッチコミュニケーションスイート(RCS)プロトコルを実施するように構成されるユーザ機器(UE)であって、
要求側UEから、(i)前記UEに関するRCS能力情報と、(ii)1組の1つまたは複数の他のUEに関するRCS能力情報とを要求するように構成されるRCS能力要求メッセージを受信するための手段と、
前記UEが前記1組の1つまたは複数の他のUEからの少なくとも1つのUEに関するRCS能力情報にアクセスできると判断するための手段と、
(i)前記UEに関する前記RCS能力情報と、(ii)前記1組の1つまたは複数の他のUEからの前記少なくとも1つのUEに関する前記RCS能力情報とを指示するRCS能力応答メッセージを構成するための手段と、
前記構成されたRCS能力応答メッセージを前記要求側UEに送信するための手段と、
を含む、ユーザ機器(UE)。
【請求項１５】
リッチコミュニケーションスイート(RCS)プロトコルを実施するように構成されるユーザ機器(UE)によって実行されるときに、前記UEに請求項1乃至8の何れか1項に記載の方法を実行させる命令を記憶している非一時的コンピュータ可読記憶媒体。